(57)【要約】【課題】薄型表示装置において部品の共通化を効果的に実現する技術を提供する。【解決手段】液晶テレビの側面に取り付けられるボタンユニットは、ボタン部４０とカバー部５０とを備えている。カバー部５０はボタンユニットを覆うように配置される。つまり、カバー部５０の底面側にボタン部４０が配置されるとともに、上述のようにボタン部４０のボタン本体４１の先端側がボタン露出孔５８から露出する。また、ボタン部４０とカバー部５０の組み付けについては、ボタン部４０を表裏反転した状態でも組み付けることが可能である。【選択図】図９
2014115610.tif 000002
【特許請求の範囲】
【請求項１】
ボタン部と、前記ボタンを覆って収容するカバー部と、前記ボタンに取り付けられる基板部とを備え、薄型表示装置に取り付けられるボタンユニットであって、
前記ボタン部は、ユーザ操作を受け付ける複数のボタン本体と、前記カバー部に固定されるとともに、固定のときに位置ずれ防止のために設けられた勘合部を備えたベース部と、を有し、
前記ボタン本体の収容状態に前記カバー部の露出部から露出する部分と、前記ベース部の前記カバー部に取り付けられる部分とが、複数の前記ボタン本体の配列方向に対称形状を有し、かつ、表面および裏面とも前記勘合部を表裏対称位置に備え、
前記カバー部は、複数の前記ボタン本体の配列方向に対称形状を有するとともに、
前記ボタン部を収容した状態で前記ボタン本体の一部を外部に露出させる露出部と、
前記ボタンが配置されるときに前記ボタン部の前記勘合部に勘合する凸状部を備えたボタン収容部と、
前記薄型表示装置のリアキャビネットに固定可能なキャビネット固定部と、
を有し、
前記カバー部の前記ボタン収容部は、前記ボタン部に収容された前記基板部の突出部分に対応する位置に、前記基板部を組み込んだ状態の前記ボタン部を逆挿入することが出来ないようにした規制部を備える
ことを特徴とするボタンユニット。
【請求項２】
前記カバー部は、フロントフレームに設けられたリブ用開口へ挿入し固定するための固定用のリブを有することを特徴とする請求項１に記載のボタンユニット。
【請求項３】
前記リブは、前記フロントフレームの前記リブ用開口の種類に応じて位置決め手段として機能する複数の段差を有していることを特徴とする請求項２に記載のボタンユニット。
【請求項４】
前記リブは、前記カバー部が前記ボタンの配列方向に対して左右対称になるように、複数の爪部を備え、前記爪部は前記フロントフレームの前記リブ用開口に係止可能に構成されていることを特徴とする請求項２または３に記載のボタンユニット。
【請求項５】
前記リブは、可撓性を有する仮固定用リブであって、前記仮固定用リブの先端に係止用の爪部を備えることを特徴とする請求項２に記載のボタンユニット。
【請求項６】
前記カバー部は、前記ボタン部の固定に用いられる係止ツメを有し、
前記ボタン部は、前記係止ツメと係止する開口部を有し、
前記係止ツメは、前記ボタン本体の押圧方向に向けて前記開口部の外縁に係止する
ことを特徴とする請求項１から５までのいずれかに記載のボタンユニット。
【請求項７】
前記ボタン部は、前記カバー部と固定されていない状態で、前記薄型表示装置の表示部本体の背面側に設けられたボスに固定可能であって、前記表示部本体の前記ボスと前記カバー部の前記勘合部とが勘合することを特徴とする請求項１から６までのいずれかに記載のボタンユニット。
【請求項８】
請求項１から７までのいずれかに記載のボタンユニットを備えることを特徴とする薄型表示装置。
【発明の詳細な説明】
【技術分野】
【０００１】
本発明はボタンユニットおよび薄型表示装置に係り、例えば、装置側面部分に配置されるボタンユニットおよびその様なボタンユニットを有する薄型表示装置に関する。
【背景技術】
【０００２】
液晶テレビ等に代表される薄型表示装置においては、ボタンによって構成される操作部は、装置側面に配置されることが多い。特に近年では、製品の薄型化が進んだことから、操作部が製品の側面に配置される傾向が強まっている。
【０００３】
また、全く同じデザインであっても操作部の位置が仕向け地によって異なる場合がある。つまり、機種、仕向け地等によって配置される位置はテレビ正面から見て右側であることもあるし、左側であることもある。バックキャビネットやフロントキャビネットなどの比較的大きな部品では、表示装置の左右どちらでも取り付けられるような構造となっていることが多い。しかし、操作ボタン等のように比較的小さな部品では、取り付け位置が左右それぞれにおいて専用の部品が新規に作成されている。
【０００４】
また、表示装置のサイズによっては、操作部とキャビネットとの位置関係も微妙に変化させる必要がある。また、機種によっては、操作部にカバーを取り付ける機種もあればカバーなしで直接表示パネルのバックライトシャーシに操作部を取り付ける機種もある。
【０００５】
そのため、上記のようなバリエーションに対応して、ひとつの部品で多くの機種に対応する部品が求められている。しかし、個々の部品の共用化が進むにつれて、複数部品で構成するユニットにした場合、製造工程において、特に作業者が不慣れな製品導入初期段階においては、適正な部品管理がなされている場合であっても、部品の取り間違い等が発生するおそれがある。このことから、部品を共通化に関して、製造工程における不具合を回避するための様々な提案がなされている。
【０００６】
例えば、プリント配線基板の一端をコネクタに挿入して、コネクタと基板とを接続する接続装置において、コネクタの被挿入部に、誤挿入防止用の内枠を設けるとともに、基板には、前記内枠と嵌合するスリットを設けた技術がある（例えば、特許文献１参照）。
【先行技術文献】
【特許文献】
【０００７】
【特許文献１】実開平０３−１３１０７０号公報
【発明の概要】
【発明が解決しようとする課題】
【０００８】
ところで、液晶テレビ等の薄型表示装置の分野では、市場競争が熾烈を極めており、コスト低減が必須の状況にある。そのため、上述のように操作部を構成する部品を極力共通化して金型費の削減や部品品種の削減を求める声が非常に高まっている。さらに、部品の共通化した場合であっても、製造工程における作業効率を低下させない技術が求められていた。
【０００９】
特許文献１に開示の技術では、プリント配線基板の分野では有効ではあるが、薄型表示装置の操作部のような構造にはそのまま適用することが出来ず、別の技術が求められていた。
【００１０】
本発明は以上のような状況に鑑みなされたものであって、上記課題を解決する技術を提供することを目的とする。
【課題を解決するための手段】
【００１１】
本発明は、ボタン部と、前記ボタンを覆って収容するカバー部と、前記ボタンに取り付けられる基板部とを備え、薄型表示装置に取り付けられるボタンユニットであって、前記ボタン部は、ユーザ操作を受け付ける複数のボタン本体と、前記カバー部に固定されるとともに、固定のときに位置ずれ防止のために設けられた勘合部を備えたベース部と、を有し、前記ボタン本体の収容状態に前記カバー部の露出部から露出する部分と、前記ベース部の前記カバー部に取り付けられる部分とが、複数の前記ボタン本体の配列方向に対称形状を有し、かつ、表面および裏面とも前記勘合部を表裏対称位置に備え、前記カバー部は、複数の前記ボタン本体の配列方向に対称形状を有するとともに、前記ボタン部を収容した状態で前記ボタン本体の一部を外部に露出させる露出部と、前記ボタンが配置されるときに前記ボタン部の前記勘合部に勘合する凸状部を備えたボタン収容部と、前記薄型表示装置のリアキャビネットに固定可能なキャビネット固定部と、を有し、前記カバー部の前記ボタン収容部は、前記ボタン部に収容された前記基板部の突出部分に対応する位置に、前記基板部を組み込んだ状態の前記操作部を逆挿入することが出来ないようにした規制部を備える
また、前記カバー部は、フロントフレームに設けられたリブ用開口へ挿入し固定するための固定用のリブを有してもよい。
また、前記リブは、前記フロントフレームの前記リブ用開口の種類に応じて位置決め手段として機能する複数の段差を有してもよい。
また、前記リブは、前記カバー部が前記ボタンの配列方向に対して左右対称になるように、複数の爪部を備え、前記爪部は前記フロントフレームの前記リブ用開口に係止可能に構成されてもよい。
また、前記リブは、可撓性を有する仮固定用リブであって、前記仮固定用リブの先端に係止用の爪部を備えてもよい。
また、前記カバー部は、前記ボタン部の固定に用いられる係止ツメを有し、前記ボタン部は、前記係止ツメと係止する開口部を有し、前記係止ツメは、前記ボタン本体の押圧方向に向けて前記開口部の外縁に係止してもよい。
また、前記ボタン部は、前記カバー部と固定されていない状態で、前記薄型表示装置の表示部本体の背面側に設けられたボスに固定可能であって、前記表示部本体の前記ボスと前記カバー部の前記勘合部とが勘合してもよい。
本発明の薄型表示装置は、上述のボタンユニットを備える。
【発明の効果】
【００１２】
薄型表示装置において、部品の共有化を可能とする技術を提供することができる。
【図面の簡単な説明】
【００１３】
【図１】実施形態に係る、液晶テレビの外観を模式的に示す図である。
【図２】実施形態に係る、ボタンユニットが設けられている部分をテレビ背面から見た図である。
【図３】実施形態に係る、ボタンユニットが取り付けられた状態のフロントフレームの裏面側の斜視図である。
【図４】実施形態に係る、ボタンユニットの内部レール部への取付態様を示す斜視図図である。
【図５】実施形態に係る、ボタンユニットの取り付け状態を示すセット底面から見た断面図である。
【図６】実施形態に係る、カバー部を用いずボタンユニットがバックライトシャーシに取り付けられる場合のセット底面から見た断面図である。
【図７】実施形態に係る、ボタンユニットの正面図である。
【図８】実施形態に係る、バックライトシャーシにボタン部が取り付けられる状態を示した図である。
【図９】実施形態に係る、ボタンユニットの斜視図である。
【図１０】実施形態に係る、ボタンユニットの分解平面図である。
【図１１】実施形態に係る、ボタンユニットの分解斜視図である。
【図１２】実施形態に係る、図９の状態から基板を取り除いて示すボタンユニットの分解斜視図である。
【図１３】実施形態に係る、カバー部の六面図である。
【図１４】実施形態に係る、ボタン部の五面図及び断面図である。
【図１５】実施形態に係る、ボタン部、カバー部及び基板を取り付ける手順について逆付け防止構造に着目して示す側面図である。
【図１６】実施形態に係る、ボタン部、カバー部及び基板を取り付ける適正手順について逆付け防止構造に着目して示す側面図である。
【図１７】実施形態に係る、ボタン部、カバー部及び基板を取り付ける誤手順について逆付け防止構造に着目して示す斜視図である。
【図１８】実施形態に係る、ボタン部、カバー部及び基板を取り付ける手順について逆付け防止構造に着目して示す斜視図である。
【図１９】実施形態の第１の変形例に係る、ボタンユニットの斜視図である。
【図２０】実施形態の第２の変形例に係る、ボタンユニットの正面図である。
【図２１】実施形態の第２の変形例に係る、ボタンユニットの当てリブの係止状態を示す図である。
【図２２】実施形態の第３の変形例に係る、ボタンユニットの正面図及び断面図である。ボタンユニットの正面図である。
【発明を実施するための形態】
【００１４】
次に、本発明を実施するための形態（以下、単に「実施形態」という）を、図面を参照して具体的に説明する。
【００１５】
本実施形態の薄型表示装置（後述の液晶テレビ１０）の概要は次の通りである。
（１）バックライトのボスに操作部（ボタンユニット）を直接取り付ける機種では、操作部（ボタンユニット）は液晶テレビ１０の左右両側への取り付けを可能にする構造を有する。具体的には、操作部（ボタンユニット）は、上下方向の形状を対称となっており、かつ、ボス取付部が表面、裏面ともボス取り付け時の位置ずれ防止の縁形状（枠構造）を有する。
（２）カバー付き機種とカバーなしで直接取り付ける機種の両方の種類において、操作部（ボタンユニット）が取り付け可能にする構造が用いられる。具体的には、カバーに操作部のボス取付用孔に対応するボスを生成することで、カバーと操作部（ボタンユニット）とがリアキャビネット側に固定可能となっている。
（３）カバー付き機種においては、左右両側への取付可能にする構造が用いられる。具体的には、カバーは上下方向対称として、操作部におけるカバーとの固定部分を表面、裏面とも同一の形状として逆固定可能となっている。
（４）画面サイズ（薄型表示装置の大きさ）に応じて、操作部（ボタンユニット）の位置が異なる機種においても操作部（ボタンユニット）が取付可能な構造が用いられる。具体的には、操作部にはフロントフレームへのリブが形成されている。さらに、そのリブに段差形状が形成されている。対応して、フロントフレームにはサイズ毎に異なる位置に対応する孔が形成されている。サイズ毎に、取り付けに関連する構造に関して操作部の構造とフロントフレームの構造との間隔を実質的に変えられるようにする。
（５）カバーへの操作部の逆付け防止のための構造が用いられる。カバーの端部分に、操作部のスイッチ基板の突出部分に対応する位置にリブを立て、スイッチ基板を組み込んだ操作部をカバーに逆挿入することが出来ないようにする。
【００１６】
このように、ボタンとカバーとの取り付け部に関して、前後シンメトリーな形状とすることによって、どちらからでもカバーに取り付け可能となっている。また、カバーの外観もシンメトリーな構造が採用されている。上記の構造との組み合わせにより、操作部（ボタンユニット）が薄型表示装置の左右どちら側に取り付けられる構成であっても、同じ並び並びのボタン配列を実現することができる。
【００１７】
以下、詳細に説明する。
図１は、本実施形態に係る液晶テレビ１０（１０ａ、１０ｂ）の外観を模式的に示しており、図１（ａ）はボタンユニット３０が正面視で左側側面に取り付けられた液晶テレビ１０ａを示し、図１（ｂ）は正面視で右側側面に取り付けられた液晶テレビ１０ｂを示している。なお、図１では、理解を容易にする観点から便宜的に、正面視でボタンユニット３０が側面（表示パネル１２を覆うフロントフレーム１４の横）から視認可能になっている。また、二つの液晶テレビ１０ａ、ｂを区別しないときには、単に「液晶テレビ１０」として説明する。
【００１８】
図２はボタンユニット３０が設けられている部分を背面から見た図であり、図２（ａ）は図１（ａ）の液晶テレビ１０ａを背面から見た図であり、図２（ｂ）は図１（ｂ）の液晶テレビ１０ｂを背面から見た図である。
【００１９】
図示のように、液晶テレビ１０のリアキャビネット１６には、ボタンユニット３０を収容するためのボタンユニット収容部１７が設けられている。ボタンユニット収容部１７の収容部外縁１７ａからボタンユニット３０の一部構成（ボタン部４０等）がユーザの操作可能に露出している。また、例えば図２で分かるように、二つの液晶テレビ１０ａ、１０ｂはボタンユニット３０に関連する構造部分に関して左右対称になっている。したがって、ボタンユニット３０は、外観上、露出する部分において取り付け状態で上下対称となっている。また、リアキャビネット１６に覆われている部分も、後述する基板８０の収容構造等の一部の構造を除いて上下対称となっている。
【００２０】
図３は、フロントフレーム１４の裏面側（液晶テレビ１０の内部側）の斜視図であって、ボタンユニット３０が取り付けられた状態を示している。また、図４は、ボタンユニット３０がフロントフレーム１４の内側部分に設けられた内部レール部９０に取り付けられる状態を示した図である。
【００２１】
図５はボタンユニット３０の取り付け状態を示す断面図である。図６はカバー部５０を用いずボタンユニット３０がバックライトシャーシ１８に取り付けられる場合の断面図を示している。なお、なお、ボタン部４０の詳細な構造は後述するが、便宜的に基板８０を収容する側をＢ面、反対側をＡ面として説明する。また、図７はボタンユニット３０の正面図（液晶テレビ１０の側面から見た図）を示しており、フロントフレーム１４との固定態様を説明する図である。
【００２２】
各構成の詳細は後述するが、図示のように、ボタンユニット３０のカバー部５０には、当てリブ７１及び仮固定リブ７２が設けられており、それら当てリブ７１及び仮固定リブ７２が、フロントフレーム１４の内部レール部９０に設けられたリブ挿入部９１及び仮リブ挿入部９２に挿入されることで、固定がなされる。ボタンユニット３０がフロントフレーム１４に固定された状態の後に、リアキャビネット１６が覆い被される作業がなされる。
【００２３】
なお、図７に示すように、当てリブ７１とリブ挿入部９１とは、カバー部５０の取り付け位置を調整可能とする構造を有している。すなわち、当てリブ７１は、当てリブ７１の形成根元部分であって仮固定リブ７２に対して外側の部分に、第１の固定規制部７１ａを備えている。また、当てリブ７１は、第１の固定規制部７１ａより先端側（図示で下側）部分であって仮固定リブ７２に対して内側の部分に、第２の固定規制部７１ｂを備えている。そして、ある機種の内部レール部９０ａのリブ挿入部９１ａは、機種によって、第１の固定規制部７１ａと係止し、第２の固定規制部７１ｂとは係止しないようになっている。また別の機種では、内部レール部９０ｂのリブ挿入部９１ｂは、第２の固定規制部７１ｂと係止し、第１の固定規制部７１ａとは係止しないようになっている。その結果、内部レール部９０に対するボタンユニット３０の挿入状態を調整することができる。当然、リブ挿入部９１や仮リブ挿入部９２の位置を調整することで、液晶テレビ１０をたてた状態のボタンユニット３０の高さを調整することができる。
【００２４】
また、仮固定リブ７２は、製造工程において、液晶テレビ１０を立てた状態で組み立て可能とするために設けられている。具体的には、仮リブ挿入部９２は、内部レール部９０の延出方向（立てた状態で上下方向）には仮固定リブ７２に対して大きく余裕を持って形成されており、仮固定リブ７２の厚さ方向には同一寸法又は相対的に若干狭く形成されている。なお、仮リブ挿入部９２は、全体に狭い必要はなく、一部分が狭くてもよい。このように構成することで、仮固定リブ７２と仮リブ挿入部９２とで仮固定を適切に行える。
【００２５】
図８は、バックライトシャーシ１８にボタン部４０が取り付けられる状態を示した図であり、上述の図６に対応している。したがって、図８（ａ）は図示でＡ面側を表として、Ｂ面側がバックライトシャーシ１８に取り付けられる状態を示している。図８（ｂ）は図示でＢ面側を表として、Ａ面側がバックライトシャーシ１８に取り付けられる状態を示している。
【００２６】
図６や図８に示すように、ボタンユニット３０は、カバー部５０を取り除いた場合であっても、バックライトシャーシ１８に形成されているボス１９に嵌合するようになっている。具体的には、液晶テレビ１０ｃの右側側面にボタンユニット３０が取り付けられるときには、図６（ａ）及び図８（ａ）に示すように、Ｂ面側のボス配置部４８Ｂにバックライトシャーシ１８のボス１９が嵌まり、位置決めがなされる。また、液晶テレビ１０ｄの左側側面にボタンユニット３０が取り付けられるときには、図６（ｂ）及び図８（ｂ）に示すように、Ａ面側のボス配置部４８Ａにバックライトシャーシ１８のボス１９が嵌まり、位置決めがなされる。
【００２７】
このように、バックライトシャーシ１８のボス１９に嵌合する構造であるボス配置部４８（４８Ａ、４８Ｂ）は、カバー部５０が利用される場合には、カバー部５０に形成されたボタン配置用ボス６８と嵌合する。このような構造を採用することで、ボタンユニット３０をカバー部５０を用いて固定したり、カバー部５０を用いずに固定したりすることができる。
【００２８】
つづいて、ボタンユニット３０の詳細な構造について説明する。
図９はボタンユニット３０の斜視図であって、図９（ａ）は表側の斜視図であり、図９（ｂ）は裏面側の斜視図である。
【００２９】
ボタンユニット３０は、ボタン部４０とカバー部５０とを備えている。カバー部５０はボタン部４０を覆うように配置される。つまり、カバー部５０の底面側にボタン部４０が配置されるとともに、上述のようにボタン部４０のボタン本体４１の先端側がボタン露出孔５８から露出する。また、ボタン部４０とカバー部５０の組み付けについては、ボタン部４０を表裏反転した状態でも組み付けることが可能である。図９はボタン部４０のＡ面側がカバー部５０に取り付けられる構造を示しており、図５（ａ）のボタンユニット３０に対応している。
【００３０】
また、図１０はボタンユニット３０の分解図であり、ボタン部４０とカバー部５０とを分離して示しており、特に、ボタン部４０は表裏反転させた２種類を表示している。また、図１１は、ボタンユニット３０の分解斜視図であり、図１０同様に、ボタン部４０とカバー部５０とを分離して示しており、特に、ボタン部４０は表裏反転させた２種類を表示している。さらに、図１２は図１１の状態から基板８０を取り除いて示している。
【００３１】
さらに、図１３はカバー部５０の六面図であり、図１３（ａ）は平面図、図１３（ｂ）は正面図、図１３（ｃ）は背面図、図１３（ｄ）は底面図、図１３（ｅ）は右側面図、図１３（ｆ）は左側面図である。
【００３２】
また、図１４はボタン部４０の五面図及び断面図であり、図１４（ａ）は平面図（Ａ面側を示した図）、図１４（ｂ）は正面図、図１４（ｃ）は底面図（Ｂ面側を示した図）、図１４（ｄ）は右側面図、図１４（ｅ）は左側面図、図１４（ｆ）は図１４（ｃ）のＡ−Ａ断面図である。
【００３３】
ボタン部４０は、ボタン本体４１と、ボタンベース部４２と、基板収容部４３とを有する。ボタンベース部４２は略平板長方形形状を呈している。ボタンベース部４２の長辺側の一旦には基板収容部４３が連続して一体に形成されている。基板収容部４３では、Ａ面側は凸状に形成されており、Ｂ面側は凹状の溝状になっている。Ｂ面側は溝状になった基板収容部４３に基板８０が収容され固定される。上述の図１０に基板８０が固定された状態のボタン部４０が示されている。なお、基板８０を固定するためにＢ面側の凹状部分に基板固定ツメ４７が形成されている。
【００３４】
また、基板収容部４３のボタン本体４１側の端部（図１４（ｃ）では図示上側）では壁面が形成されており、一方反対側（図１４（ｃ）では図示下側）では壁面が無く開放された状態となっている。これは、図１０に示すように、基板８０の端子部分が基板収容部４３より外側に出るようになっている為である。
【００３５】
ボタンベース部４２において基板収容部４３が形成される位置と反対側の両隅は切り欠き状態となっている。その切り欠き部分の近傍に、ＡＢ両面ともに二つのボス配置部４８が左右（図示では上下）及び表裏対称に形成されている。つまり、ボタンベース部４２のＡ面側には二つのボス配置部４８Ａが形成されている。同様に、ボタンベース部４２のＢ面側にも二つのボス配置部４８Ｂが形成されている。なお、ＡＢ面の各ボス配置部４８Ａ、Ｂを区別しないときには単に「ボス配置部４８」と示している。ボタン部４０とカバー部５０が組み付けられたときに、このボス配置部４８に、カバー部５０のボタン配置用ボス６８が位置する。
【００３６】
ボス配置部４８は、配置枠４８ａと位置決めリブ４８ｂとを備えて形成されている。具体的には、ボタン配置用ボス６８の外形より若干外側となる位置に配置枠４８ａが所定高さで形成されている。そして、配置枠４８ａの内側の４カ所に位置決めリブ４８ｂが十字状に配置されるように形成されている。位置決めリブ４８ｂにボタン配置用ボス６８の外周面が当接するようになっている。配置枠４８ａが直接ボタン配置用ボス６８の外周面に当接してもよいが、組み付け時の作業性や部品の寸法公差等の観点から位置決めリブ４８ｂが採用されている。
【００３７】
また、ボタンベース部４２には左右対称（図示では上下対称）の位置に二つの四角の係止孔４９が形成されている。ボタン部４０とカバー部５０が組み付けられたときに、図９（ｂ）等に示すように、カバー部５０のボタン係止部６０（係止ツメ６１）が、係止孔４９と係止する。なお、係止孔４９と係止ツメ６１との係止については、ボタン部４０が操作されたときのストッパーとして機能するように、係止孔４９の開口四辺のうち外側にあたる辺に係止ツメ６１が係止する。その結果、ボス配置部４８とボタン配置用ボス６８との嵌合だけでなく、係止孔４９と係止ツメ６１との係止によって、ユーザによるボタン部４０への操作時にグラツキ等が発生せず、製品品質が向上する。
【００３８】
ボタンベース部４２からは７つのボタン本体４１が延出して形成されている。ここで、ボタン本体４１は、特に電源入切をするボタンとして電源用ボタン４１ａを有する。また、他のボタン本体４１は、チャンネルＨｉ、チャンネルＬｏｗ、音量大、音量小、メニュー等の機能が関連づけられている。上述のように、ボタン本体４１のうち、電源用ボタン４１ａは最も上に配置されている。また、電源入切の機能を有するボタンであることを認識容易にするために、電源用ボタン４１ａは、触っただけで認識可能となるように、先端部分に特有の凹凸をつけることが多い。本実施形態では、電源用ボタン４１ａの先端表面には３つの凸形状が設けられている。電源用ボタン４１ａと他のボタンと区別しないときには、「ボタン本体４１」として説明する。
【００３９】
それぞれのボタン本体４１は、基板収容部４３の凸形状側から所定間隔の二つのボタン足部４４を延出させてボタンベース部４２と同じ面になるように形成されている。つまり、Ａ面側又はＢ面側のいずれの側をカバー部５０に取り付けてもよいように、ボタン本体４１とボタンベース部４２とがそれぞれの厚さ中心を基準に実質的に対称になるように形成されている。
【００４０】
また、ボタン本体４１の基板収容部４３側の端部中央には、ユーザの操作に応じて基板８０のスイッチ部８２を押圧するための構造として、ボタン押圧部４５が形成されている。
【００４１】
カバー部５０は、断面略Ｌ字状の形状を有しており、カバー上面部５１と、カバー上面部５１と略直角のカバー側面部５２とを備える。ボタンユニット３０が液晶テレビ１０に取り付けられた状態において、カバー上面部５１は、液晶テレビ１０の背面側に位置し、カバー側面部５２は液晶テレビ１０の側面部分に位置する。また、Ｌ字状の内側部分の領域であるボタン収容部６５に、上述のボタン部４０が収容・固定される。
【００４２】
図示のように、カバー側面部５２には、長方形状の細長く端部がラウンドしているボタン露出孔５８が形成されている。ボタン露出孔５８からボタン本体４１の先端側が露出する。その結果、ユーザのボタン本体４１（ボタン部４０）への操作が可能となる。また、カバー側面部５２の端部には、上述した二つの当てリブ７１と仮固定リブ７２が形成されている。
【００４３】
カバー上面部５１は、第１面５３ａ〜第３面５３ｃの３段の面を有して形成されている。第１面５３ａは、液晶テレビ１０に取り付けられた状態で、背面側に露出する。第２面５３ｂ及び第３面５３ｃはリアキャビネット１６に隠れる。外側から見て、第２面５３ｂは、第１面５３ａより一段下がって形成されている。さらに、第３面５３ｃは第２面５３ｂより一段さがって形成されている。
【００４４】
第２面５３ｂと第３面５３ｃとの境界部分に二つのボタン係止部６０が図示で対称となる位置に形成されている。ボタン係止部６０は、係止ツメ６１と開口６２とを備えている。係止ツメ６１は、開口６２のカバー側面部５２側の外縁部分に内側方向に向けて形成されている。係止ツメ６１は、上述したボタン部４０の係止孔４９に係止する。
【００４５】
また、ボタン収容部６５の上下の一方側（ここでは下側）の端部部分には規制リブ６６が形成されている。この規制リブ６６は、次に説明する逆付け防止機能を果たす。
【００４６】
ここで図１５は、ボタン部４０、カバー部５０及び基板８０を取り付ける手順について逆付け防止構造に着目して示す図である。図１５はボタン部４０のＢ面側が見えてＡ面側がカバー部５０に取り付けられる場合を示しており、特に図１５（ａ）は取り付け前の状態、図１５（ｂ）はボタン部４０とカバー部５０とが取り付けられた状態、図１５（ｃ）はボタン部４０、カバー部５０及び基板８０が取り付けられた状態を示している。図１５（ｄ）は、カバー部５０を逆向きに取り付けてしまった状態を示している。さらに、図１５（ｅ）は基板８０が逆向きでカバー部５０に取り付けられたボタン部４０に取り付け出来ない状態を示している。
【００４７】
また、図１６〜図１８は、ボタン部４０、カバー部５０及び基板８０を取り付ける手順について逆付け防止構造に着目して示す側面図である。特に、図１６は、ボタン部４０とカバー部５０とを取り付けた後に基板８０を取り付ける適正手順を示しており、図１６（ａ）はボタン部４０とカバー部５０とが取り付けられる前の状態、図１６（ｂ）はボタン部４０とカバー部５０とが取り付けられた状態、図１６（ｃ）はボタン部４０、カバー部５０及び基板８０が取り付けられた状態を示している。また、図１７は、ボタン部４０とカバー部５０とを取り付けた後に基板８０を取り付ける誤手順を示しており、図１７（ａ）ボタン部４０とカバー部５０とが取り付けられる前の状態、図１７（ｂ）は基板８０を取り付けることが出来ない状態を示している。さらに、図１８は、基板８０とボタン部４０とを取り付けた後にカバー部５０を取り付ける手順を示している。図１８（ａ）は基板８０とボタン部４０とが取り付けられる前の状態を示している。また、図１８（ｂ）は基板８０とボタン部４０とが取り付けられた後に、Ａ面側を外側に基板８０が取り付けられたＢ面側を内側になるように配置した状態でカバー部５０に取り付けられる直前の状態を示している。更に、図１８（ｃ）は、基板８０とボタン部４０とがカバー部５０に取り付けられた状態を示している。一方、図１８（ｄ）は、基板８０とボタン部４０とが取り付けられた後に、Ｂ面側を外側にＡ面側を内側に配置した状態でカバー部５０には取り付けられることができない状態を示している。
【００４８】
図１５（ａ）〜（ｃ）及び図１６（ａ）〜（ｃ）に示すように、ボタン部４０の基板収容部４３が外側つまりここでは上向きに開放していることから、基板８０を基板収容部４３に収容することができる。また、図１５（ｄ）に示すように、ボタン部４０とカバー部５０とが適正に取り付けられた後に、基板８０が反対向き、つまり、端子コネクタ８１が後側にある場合には、基板収容部４３に収容しようとしても、図中の領域Ｘの部分で規制リブ６６と端子コネクタ８１が干渉してしまい、収容することができない。したがって、基板８０の逆付け防止ができる。
【００４９】
一方、図１５（ｅ）に示すように、カバー部５０を反対向き（Ａ面側が外向きで基板収容部４３が内側向き）に取り付けた場合、例えば製造ライン上で基板８０を基板収容部４３に取り付けようとしても、基板収容部４３が開放していないので、底面が邪魔してしまい、基板８０は基板収容部４３に収容することができない。なお、カバー部５０の基板収容部４３が下向きとなる状態にするには、予めボタン部４０と基板８０とを取り付けた状態にしたユニットを製造ライン上でカバー部５０に組み付ける。このようにして製造ライン上の部品管理がなされる。
【００５０】
また、図１８（ｄ）に示すように、図１８（ｂ）で示したボタン部４０と基板８０との組み付け状態とは反対向きとした場合、ボタン部４０の側面から突出している基板８０の一部が規制リブ６６と干渉してしまって、基板８０を収容した状態のボタン部４０をカバー部５０に取り付けることができない。つまり、作業手順を変えることによって、Ａ面側が外向きで取り付ける製品と内向きに取り付ける製品の両方について誤った取り付けを防ぐことができる。カバー部５０に対してＡ面側を外側で取り付ける製品の場合には、ボタン部４０と基板８０をまず取り付ける。その後、カバー部５０に対してボタン部４０をＡ面側を内向きで取り付けようとすると図１８（ｄ）のように取り付けられないので、誤取り付け防止となる。
【００５１】
カバー部５０に対してＡ面側が内向きで取り付ける製品の場合には、カバー部５０にボタン部４０をまず取り付ける。その後、基板８０を取り付ける際、指示どおりにボタン部４０がＡ面側を内側に取り付けていれば、基板８０の取り付けは可能であるが、Ａ面側を外向きに取り付けられた場合は図１７（ｂ）のように基板８０が取り付けされず、誤取り付けを発見できる。
【００５２】
以上、本実施形態によると、ボタンユニット３０の位置を左右反転したモデルが存在する場合に、金型数の削減ができる。また、ボタンユニット３０のボタン部４０を上下反転ではなく裏表逆転とすることで、機能によりボタンの大きさが異なる場合でも対応するこができる。
【００５３】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。例えば、ボタン配置用ボス６８とボス配置部４８との嵌合にネジを用いていないが、それぞれにネジ穴を設けてネジ固定してもよい。以下、第１及び第２の変形例について説明する。
【００５４】
図１９は第１の変形例に係るボタンユニット１３０の斜視図である。本変形例は、カバー部１５０において基板８０を収容する側のＢ面の構造に特徴があることから、カバー部１５０のＢ面のみを示している。ここで図１９（ａ）は図示下側の規制リブ１６６ａのみが形成されている構成を示している。図１９（ｂ）は図示上側の規制リブ１６６ｂのみが形成されている構成を示している。図１９（ｃ）は図１９（ｂ）のカバー部１５０に、基板８０を収容したボタン部４０を取り付けた状態を示している。
【００５５】
上述の実施形態においては、ボタン収容部６５の一方側の端部部分に、基板８０の逆付け防止の為の規制リブ６６が形成されているカバー部５０を例示した。本変形例の規制リブ１６６ａ、１６６ｂは、金型の入子を差し替えることで一方の側の端部部分に選択的に形成される。つまり、入子を差し替えることで、必要に応じてどちらか一方の端部に規制リブ１６６ａ、１６６ｂを形成することができる。ここでは、規制リブ１６６ａ、１６６ｂは、左右方向（カバー部１５０の長手方向）に対して対称となっており、単に入子を入れ替えることで対応できる。
【００５６】
図２０は第２の変形例に係る３種類のボタンユニット２３０ａ、２３０ｂ、２３０ｃの正面図である。特に本変形例で特徴的なカバー部２５０ａ、２５０ｂ、２５０ｃに着目して示している。図２０（ａ）に示すボタンユニット２３０ａのカバー部２５０ａでは、２つの当てリブ２７１ａの内側側面（左右方向中心側）にそれぞれ爪部２７５ａが形成され左右対称に配置されている。
【００５７】
図２０（ｂ）に示すボタンユニット２３０ｂのカバー部２５０ｂでは、２つの当てリブ２７１ｂの外側側面（左右方向外側）にそれぞれ爪部２７５ｂが形成され左右対称に配置されている。
【００５８】
図２０（ｃ）に示すボタンユニット２３０ｃのカバー部２５０ｃでは、左右の当てリブ２７１ｃと中央の当てリブ２７２ｃが設けられている。中央の当てリブ２７２ｃの両側面に爪部２７５ｃが形成され左右対称に配置されている。
【００５９】
図２１は、図２０（ａ）に示すカバー部２５０ａの当てリブ２７１ａの係止状態を示す図である。ここでは、図２０（ａ）のカバー部２５０ａの当てリブ２７１ａに対応する係止状体について例示するが、図２０（ｂ）及び図２０（ｃ）のカバー部２５０ｂ、２５０ｃについても同様である。
【００６０】
液晶テレビの製造工程において、液晶テレビを立てた状態でカバー部を内部レール部に取り付けることがある。この場合、何ら対策がなされていないと、カバー部が自重で下がって、内部レール部から外れてしまう場合がある。
【００６１】
一方、本変形例では、図２１（ａ）のように当てリブ２７１ａが内部レール部９０のリブ挿入部９１に挿入される。そして図２１（ｂ）のようにカバー部２５０ａが自重等によって下方向に移動した場合に、爪部２７５ａがリブ挿入部９１の開口外縁部分に引っ掛かる。したがって、カバー部２５０ａが意図せず内部レール部９０から外れてしまうことが防止できる。
【００６２】
なお、図２０（ａ）及び図２０（ｂ）のカバー部２５０ａ、２５０ｂの場合、爪部２７５ａ、２７５ｂによるリブ挿入部９１への引っ掛かり作用があることで、上述の実施形態で例示した仮固定リブ７２と同様の機能が実現されるため、仮固定リブ７２が省かれている。
【００６３】
図２２は第３の変形例に係るボタンユニット３３０の正面図及び断面図である。本変形例のカバー部３５０の特徴は、仮固定リブ３７２の形状にある。この仮固定リブ３７２は、上述した仮固定リブ７２とは異なり、薄く形成されており撓むことが可能になっており、いわゆるバネ性を有している。さらに、仮固定リブ３７２の先端中央には断面三角形状の爪部３７６が形成されている。
【００６４】
カバー部３５０が内部レール部９０に取り付けられる場合、仮固定リブ３７２は撓んで仮リブ挿入部９２に挿入される。爪部３７６が挿入しきると、仮固定リブ３７２の撓みが解除されため、爪部３７６は、仮リブ挿入部９２の外縁に引っ掛かり外れることはない。
【符号の説明】
【００６５】
１０、１０ａ、１０ｂ、１０ｃ、１０ｄ  液晶テレビ
１２  表示パネル
１４  フロントフレーム（フロントキャビネット）
１６  リアキャビネット
１７  ボタンユニット収容部
１７ａ  収容部外縁
１８  バックライトシャーシ
１９  ボス
３０、１３０、２３０ａ、２３０ｂ、２３０ｃ、３３０  ボタンユニット（操作ユニット、操作部）
４０  ボタン部
４１  ボタン本体
４１ａ  電源用ボタン
４２  ボタンベース部
４３  基板収容部
４４  ボタン足部
４５  ボタン押圧部
４７  基板固定ツメ
４８、４８Ａ、４８Ｂ  ボス配置部
４８ａ  配置枠
４８ｂ  位置決めリブ
４９  係止孔
５０、１５０、２５０ａ、２５０ｂ、２５０ｃ、３５０  カバー部
５１  カバー上面部
５２  カバー側面部
５３ａ  第１面
５３ｂ  第２面
５３ｃ  第３面
５８  ボタン露出孔
６０  ボタン係止部
６１  係止ツメ
６２  開口
６５  ボタン収容部
６６、１６６ａ、１６６ｂ  規制リブ
６８  ボタン配置用ボス
７１、２７１ａ、２７１ｂ、２７１ｃ、２７２ｃ  当てリブ
７１ａ  第１の固定規制部
７１ｂ  第２の固定規制部
７２、３７２  仮固定リブ
８０  基板
８１  端子コネクタ
８２  スイッチ部
９０、９０ａ、９０ｂ  内部レール部
９１、９１ａ、９１ｂ  リブ挿入部
９２  仮リブ挿入部
２７５ａ、２７５ｂ、２７５ｃ、３７６  爪部
【図１】
2014115610.tif 000003
【図２】
2014115610.tif 000004
【図３】
2014115610.tif 000005
【図４】
2014115610.tif 000006
【図５】
2014115610.tif 000007
【図６】
2014115610.tif 000008
【図７】
2014115610.tif 000009
【図８】
2014115610.tif 000010
【図９】
2014115610.tif 000011
【図１０】
2014115610.tif 000012
【図１１】
2014115610.tif 000013
【図１２】
2014115610.tif 000014
【図１３】
2014115610.tif 000015
【図１４】
2014115610.tif 000016
【図１５】
2014115610.tif 000017
【図１６】
2014115610.tif 000018
【図１７】
2014115610.tif 000019
【図１８】
2014115610.tif 000020
【図１９】
2014115610.tif 000021
【図２０】
2014115610.tif 000022
【図２１】
2014115610.tif 000023
【図２２】
2014115610.tif 000024